(57)【要約】【課題】読者にインパクトを与えたり、感情を伝えられる表現力豊かな文書出力制御装置を提供する。【解決手段】複数種類のキーワードと各キーワードに対応させたマルチメディアデータを含む辞書ファイル１１１を用いて文書ファイル１１０内のキーワードを抽出し、抽出したキーワードを、辞書ファイル１１１を用いて音声データ、音楽データ及びバイブレータデータであるマルチメディアデータに変換し、変換した各データと文書ファイル１１０を予め決定した出力順で再生する。これにより、通常の表示を主体とした文書でも表現力豊かに出力することが可能となる。【選択図】　　　図１
2004144840.tif 000002
【特許請求の範囲】
【請求項１】
複数種類のキーワードと各キーワードに対応させたマルチメディアデータを含む辞書ファイルと、前記辞書ファイルを用いて文書ファイルからキーワードを抽出するキーワード抽出手段と、前記辞書ファイルを用いて前記キーワード抽出手段で抽出されたキーワードをマルチメディアデータに変換するキーワード変換手段と、前記キーワード変換手段で変換されたマルチメディアデータの１つである文字データを音声データに変換する音声合成手段と、前記文書ファイルと前記音声合成手段で変換された音声データと前記キーワード変換手段で変換された文字データを除くマルチメディアデータをそれぞれの種類に応じて再生を行う再生手段と、前記文書ファイルと前記音声データと文字データを除く前記マルチメディアデータそれぞれの前記再生手段への入力順序を制御する出力制御手段と、を具備することを特徴とする文書出力制御装置。
【請求項２】
前記出力制御手段は、前記マルチメディアデータの再生と前記文書ファイルの表示を同期して出力することを特徴とする請求項１に記載の文書出力制御装置。
【請求項３】
前記辞書ファイル又は前記文書ファイルには識別情報が付与されており、この識別情報とユーザの識別情報とが一致しているかどうかを検査する認証手段を具備し、前記キーワード抽出手段は、前記認証手段が認証した結果が一致の場合のみキーワードの抽出を行うことを特徴とする請求項１又は請求項２のいずれかに記載の文書出力制御装置。
【請求項４】
前記辞書ファイル又は前記文書ファイルには識別情報が付与されており、この識別情報とユーザの識別情報とが一致しているかどうかを検査する認証手段を具備し、前記出力制御手段は、前記認証手段が認証した結果が一致の場合のみデータの出力を行うことを特徴とする請求項１又は請求項２のいずれかに記載の文書出力制御装置。
【請求項５】
前記出力制御手段は、前記認証手段が認証した結果が一致の場合は前記辞書ファイルに基づいたデータの出力を行い、一致でない場合は文書ファイルのみ出力することを特徴とする請求項４に記載の文書出力制御装置。
【請求項６】
複数種類のキーワードと各キーワードに対応させたマルチメディアデータを含む辞書ファイルを用いて文書ファイルからキーワードを抽出するキーワード抽出手順と、前記辞書ファイルを用いて前記キーワード抽出手順で抽出されたキーワードをマルチメディアデータに変換するキーワード変換手順と、前記キーワード変換手順で変換されたマルチメディアデータの１つである文字データを音声データに変換する音声合成手順と、前記文書ファイルと前記音声合成手順で変換された音声データと前記キーワード変換手順で変換された文字データを除くマルチメディアデータをそれぞれの種類に応じて再生する再生手順と、前記文字データと前記音声データと文字データを除く前記マルチメディアデータそれぞれの前記再生手順への入力順序を制御する出力制御手順と、を具備することを特徴とする文書出力制御プログラム。
【請求項７】
記録媒体に記録されたプログラムに従って装置各部を制御するコンピュータと、請求項６に記載の文書出力制御プログラムが記録された記録媒体と、を具備することを特徴とする無線通信端末。
【発明の詳細な説明】
【０００１】
【発明の属する技術分野】
本発明は、一般の文書を多種多様な出力方法で出力する文書出力制御装置に関する。
【０００２】
【従来の技術】
従来、情報を伝える手段として、電子文書は重要な役割を果たしており、特にビジネスでは多くの人に情報を伝える手段として欠かせないものになっている。近年、個人でも私的に電子メールを扱うようになってきていることもあって、単に情報を伝えるだけではなく、読み手に作成者側の感情が伝わるように記号や絵文字などを多用したり、色を付けたりと工夫をするようになってきている。またその一方で、視覚障害者にも有益で、かつ大きなディスプレイやキーボードを搭載せずとも文書が読めるように、文章を読み上げる装置も開発されている。
【０００３】
このような背景の中で、従来の文書出力制御装置は、文書を読み上げる場合、作成者側の感情が伝わるように、例えば「＾＿＾」などの顔文字を予め記号でない文字に置き換えて出力するなど、絵文字や記号を含む文章でも読み上げることができるように構成されている。また、電子メールにおいて、「＞」記号で示される引用文の作成者毎に音質を変えて出力する構成を採っているものや（例えば、特許文献１参照）、テキストデータからＷｅｂアドレスを抽出し、抽出したＷｅｂアドレスをタイトル文字列に変換して音声出力を行う構成を採っているものもある（例えば、特許文献２参照）。
【０００４】
【特許文献１】
特開平８−２７２５８７号公報（第３頁、図１）
【特許文献２】
特開平１１−２７２４４２号公報（第４頁、図１）
【０００５】
【発明が解決しようとする課題】
しかしながら、従来の文書出力制御装置においては、音声の出力方法には多様な工夫があったものの、読者に対しての出力は文書の表示と音声出力（音質を変えるものも含む）だけとなっており、読者にインパクトを与えたり、感情を伝えたりするには表現力に乏しいという問題がある。
【０００６】
本発明は係る点に鑑みてなされたものであり、読者にインパクトを与えたり、感情を伝えられる表現力豊かな文書出力制御装置を提供することを目的とする。
【０００７】
【課題を解決するための手段】
請求項１に係る発明の文書出力制御装置は、複数種類のキーワードと各キーワードに対応させたマルチメディアデータを含む辞書ファイルと、前記辞書ファイルを用いて文書ファイルからキーワードを抽出するキーワード抽出手段と、前記辞書ファイルを用いて前記キーワード抽出手段で抽出されたキーワードをマルチメディアデータに変換するキーワード変換手段と、前記キーワード変換手段で変換されたマルチメディアデータの１つである文字データを音声データに変換する音声合成手段と、前記文書ファイルと前記音声合成手段で変換された音声データと前記キーワード変換手段で変換された文字データを除くマルチメディアデータをそれぞれの種類に応じて再生を行う再生手段と、前記文書ファイルと前記音声データと文字データを除く前記マルチメディアデータそれぞれの前記再生手段への入力順序を制御する出力制御手段と、を具備する構成を採る。
【０００８】
この構成によれば、文書ファイルの表示や音声出力に加えてその他のマルチメディアデータも出力するので、読者にインパクトを与えたり、感情を伝えられる表現力豊かな文書出力が可能となる。
【０００９】
請求項２に係る発明の文書出力制御装置は、請求項１に係る発明の文書出力制御装置において、前記出力制御手段は、前記マルチメディアデータの再生と前記文書ファイルの表示を同期して出力する構成を採る。
【００１０】
この構成によれば、文書ファイルの表示と同時にマルチメディアデータの再生を行うので、読者は表現力豊かな文書を楽しむことができる。
【００１１】
請求項３に係る発明の文書出力制御装置は、請求項１又は請求項２のいずれかに係る発明の文書出力制御装置において、前記辞書ファイル又は前記文書ファイルには識別情報が付与されており、この識別情報とユーザの識別情報とが一致しているかどうかを検査する認証手段を具備し、前記キーワード抽出手段は、前記認証手段が認証した結果が一致の場合のみキーワードの抽出を行う構成を採る。
【００１２】
この構成によれば、読者によってキーワード抽出を行うか否かを決定することができる。これにより、例えば本装置の読者専用の辞書データを用意することで、その人好みの表現を出力できる文書を楽しむことが可能となる。
【００１３】
請求項４に係る発明の文書出力制御装置は、請求項１又は請求項２のいずれかに係る発明の文書出力制御装置において、前記辞書ファイル又は前記文書ファイルには識別情報が付与されており、この識別情報とユーザの識別情報とが一致しているかどうかを検査する認証手段を具備し、前記出力制御手段は、前記認証手段が認証した結果が一致の場合のみデータの出力を行う構成を採る。
【００１４】
この構成によれば、読者によって出力方法を変えることが可能となる。
【００１５】
請求項５に係る発明の文書出力制御装置は、請求項４に係る発明の文書出力制御装置において、前記出力制御手段は、前記認証手段が認証した結果が一致の場合は前記辞書ファイルに基づいたデータの出力を行い、一致でない場合は文書ファイルのみ出力する構成を採る。
【００１６】
この構成によれば、読者によって出力方法を変えることが可能となる。
【００１７】
請求項６に係る発明の文書出力制御プログラムは、複数種類のキーワードと各キーワードに対応させたマルチメディアデータを含む辞書ファイルを用いて文書ファイルからキーワードを抽出するキーワード抽出手順と、前記辞書ファイルを用いて前記キーワード抽出手順で抽出されたキーワードをマルチメディアデータに変換するキーワード変換手順と、前記キーワード変換手順で変換されたマルチメディアデータの１つである文字データを音声データに変換する音声合成手順と、前記文書ファイルと前記音声合成手順で変換された音声データと前記キーワード変換手順で変換された文字データを除くマルチメディアデータをそれぞれの種類に応じて再生する再生手順と、前記文字データと前記音声データと文字データを除く前記マルチメディアデータそれぞれの前記再生手順への入力順序を制御する出力制御手順と、を具備する。
【００１８】
このプログラムによれば、文書の表示や音声出力に加えてその他のマルチメディアデータも出力するので、読者にインパクトを与えたり、感情を伝えられる表現力豊かな出力が可能な文書出力制御装置を提供することができる。
【００１９】
請求項７に係る発明の無線通信端末は、記録媒体に記録されたプログラムに従って装置各部を制御するコンピュータと、請求項６に係る発明の文書出力制御プログラムが記録された記録媒体と、を具備する構成を採る。
【００２０】
この構成によれば、文書の表示や音声出力に加えてその他のマルチメディアデータも出力することができるので、読者にインパクトを与えたり、感情を伝えられる表現力豊かな出力が可能な無線通信端末を提供することができる。
【００２１】
【発明の実施の形態】
本発明の骨子は、複数種類のキーワードと各キーワードに対応させたマルチメディアデータを含む辞書ファイルを用いて文書ファイル内のキーワードを抽出し、抽出したキーワードを、辞書データを用いて音声データ、音楽データ及びバイブレータデータ等のマルチメディアデータに変換し、変換した各データと文書ファイルを予め決定した出力順で再生し、これによって通常の表示を主体とした文書でも表現力豊かな再現を可能とすることである。
【００２２】
以下、本発明の実施の形態について、図面を用いて詳細に説明する。
【００２３】
（実施の形態１）
図１は、本発明の実施の形態１に係る文書出力制御装置の構成を示すブロック図である。本実施の形態に係る文書出力制御装置は、無線移動端末の１つである携帯電話装置に用いたものである。
【００２４】
図１において、本実施の形態に係る文書出力制御装置は、予め携帯電話装置本体に搭載されている辞書ファイル１１１を利用して携帯電話装置のユーザ（以下、読者と言う）が読もうとしている文書ファイル１１０からキーワードを抽出するキーワード抽出部１０１と、キーワード抽出部１０１で抽出されたキーワードを、辞書ファイル１１１を利用してマルチメディアデータに変換するキーワード変換部１０２と、キーワード変換部１０２で変換されたマルチメディアデータの１つである文字データを音声データに変換する音声合成部１０３と、文書ファイル１１０と音声合成部１０３で変換された音声データと文字データを除くキーワード変換部１０２で変換されたマルチメディアデータの出力順序を制御する出力制御部１０４と、文書ファイル１１０と音声合成部１０３で変換された音声データとキーワード変換部１０２で変換された文字データを除くマルチメディアデータをそれぞれの種類に応じて再生を行う出力部（再生手段）１０５とを備えている。
【００２５】
辞書ファイル１１１には、複数種類のキーワードと各キーワードに対応させたマルチメディアデータが含まれている。図２は辞書ファイル１１１の一例であり、左側がキーワードで、右側がマルチメディアデータである。
【００２６】
（＾＿＾）：おはよう
！〜！：（バイブレータ）
さようなら：バイバーイ
♪：″ｍｕｓｉｃ．ｍｉｄｉ″
【００２７】
出力部１０５は、振動を発生するバイブレータ出力部１０６と、音楽データから音楽を再生する音楽再生部１０７と、音声データから音声を出力する音声出力部１０８と、文字や画像を表示する表示部１０９とを備えており、出力制御部１０４より入力されるマルチメディアデータに従ってマルチメディアコンテンツの再現を行う。
【００２８】
次に、本実施の形態に係る文書出力制御装置の動作について説明する。
まず読者は文書ファイル１１０を入手する。この場合、入手した文書ファイル１１０が図２に示す内容であるとする。
【００２９】
○○です。（＾＿＾）
今日は楽しい日曜日♪
私はお化け屋敷に行ってきます！〜！
今度は一緒に行こうね。
では、さようなら。
【００３０】
次いで、読者が文書を開く操作を行うと、キーワード抽出部１０１が辞書ファイル１１１に登録されているキーワードと同じものを文書ファイル１１０から抽出してキーワード変換部１０２に与える。キーワード変換部１０２は、キーワード抽出部１０１よりキーワードが与えられると、辞書ファイル１１１を参照してマルチメディアデータに変換する。すなわち、文字データ、音楽データ及びバイブレータデータに変換する。この場合、文字データのみ音声合成部１０３に入力されて音声データに変換される。キーワード変換部１０２からの音楽データとバイブレータデータ並びに音声合成部１０３からの音声データが出力制御部１０４によって出力部１０５に入力される。
【００３１】
音声データ、音楽データ、バイブレータデータの出力順は出力制御部１０４によって決定される。この出力順に従って各データが出力部１０５に入力されることで、出力部１０５の表示部１０９には文字データ（画像を含む）が表示され、音声出力部１０８からは音声が出力され、音楽再生部１０７からは音楽が再生され、またバイブレータ出力部１０６が振動する。
【００３２】
このように、本実施の形態に係る文書出力制御装置によれば、複数種類のキーワードと各キーワードに対応させたマルチメディアデータを含む辞書ファイル１１１を用いて文書ファイル１１０内のキーワードを抽出し、抽出したキーワードを、辞書ファイル１１１を用いて音声データ、音楽データ及びバイブレータデータであるマルチメディアデータに変換し、変換した各データと文書ファイル１１０を予め決定した出力順で再生する。これにより、表示や音声の出力だけではなく、音楽データやバイブレータデータなどの出力も合わせて行うことから、読者は表現力豊かな文書を楽しむことが可能となる。
【００３３】
（実施の形態２）
図３は、本発明の実施の形態２に係る文書出力制御装置の構成を示すブロック図である。本実施の形態に係る文書出力制御装置は、インターネットを閲覧可能なＷｅｂブラウザを備えた携帯電話装置に用いたものである。なお、この図において前述した図１と共通する部分には同一の符号を付けている。
【００３４】
図３に示すように、本実施の形態に係る文書出力制御装置は、携帯電話装置に保存されているブックマークリスト３０１を利用する機能を備えている。このブックマークリスト３０１には、ＷｅｂアドレスであるＵＲＬ（ｕｎｉｆｏｒｍ　ｒｅｓｏｕｒｃｅ　ｌｏｃａｔｏｒ）が登録されている。キーワード変換部１０２は、キーワード抽出部１０１で抽出されたキーワードがＷｅｂアドレスの場合、ブックマークリストファイル３０１を参照して同じＷｅｂアドレスが在るかどうかを調べ、あれば対応するブックマーク名に変換する。
【００３５】
次に、本実施の形態に係る文書出力制御装置の動作について説明する。
まず読者は文書ファイル１１０を入手する。次いで、読者が文書ファイル１１０を開く操作を行うと、キーワード抽出部１０１が辞書ファイル１１１のキーワードを文書ファイル１１０から抽出する。この場合、抽出したキーワードが「ｈｔｔｐ：／／」で始まるＷｅｂアドレスであれば、ブックマークリスト３０１を参照して同じアドレスがリストに在るかどうかを調べ、同じアドレスが在れば文書のＷｅｂアドレスを該当するブックマーク名に変換する。
【００３６】
そして、変換したブックマーク名を音声合成部１０３に入力する。これにより、ブックマーク名が音声合成部１０３にて音声データに変換される。この音声データは出力制御部１０４を介して出力部１０５の音声出力部１０８に入力されて、ブックマーク名が読み上げられる。例えば「ｈｔｔｐ：／／ｗｗｗ．ａｂｃ．ｃｏ．ｊｐ」のようなＷｅｂアドレスのブックマーク名が「ＡＢＣ電器」である場合、「ＡＢＣ電器」と読み上げられる。
【００３７】
このように、本実施の形態の文書出力制御装置によれば、「ｈｔｔｐ：／／ｗｗｗ．ａｂｃｄ．ｃｏ．ｊｐ」のようなＷｅｂアドレスを含んだ文書を読み上げるときに、「エイチティーティーピー・・・」とアルファベットの羅列で読み上げることなく、ブックマーク名で読み上げることができるので、ユーザに意味が伝わりやすくすることが可能となる。
【００３８】
なお、本実施の形態では、Ｗｅｂアドレスが含まれている場合について説明したが、Ｗｅｂアドレスがメールアドレスや電話番号でも構わない。例えば、「ａｂｃ＠ｐａｔ．ｃｏ．ｊｐ」のようなメールアドレスの場合、「エイビシーアットマーク・・・」とアルファベットの羅列で読み上げることなく、「特許太郎」などと人名で読み上げる。
【００３９】
また、例えば「ＴＥＬ０３−１２３４−９８７６」のような電話番号の場合、「ゼロサン　ハイフン　イチニィサンシ・・・」とアルファベットの羅列で読み上げることなく、「特許花子」などと人名で読み上げる。
【００４０】
（実施の形態３）
図４は、本発明の実施の形態３に係る文書出力制御装置の構成を示すブロック図である。なお、この図において前述した図１と共通する部分には同一の符号を付けている。
【００４１】
図４において、本実施の形態に係る文書出力制御装置は、辞書ファイル１１１に記載されている端末ＩＤ（端末識別情報）に基づいて文書を出力するかどうかを判断する認証部４０１を備えている。認証部４０１は、辞書ファイル１１１に記載されている端末ＩＤが自端末のＩＤと同じであると認証した場合は、キーワード抽出部１０１に対して辞書ファイル１１１を使った処理を行うように指示し、辞書ファイル１１１に記載されている端末ＩＤが自端末のＩＤと異なると認識した場合は、キーワード抽出部１０１に対して辞書ファイル１１１を使用しないでそのまま文字データを音声合成部１０３に入力するように指示する。
【００４２】
次に、本実施の形態に係る文書出力制御装置の動作について説明する。
まず読者は文書ファイル１１０を入手する。次いで、読者が文書ファイル１１０を開く操作を行うと、認証部４０１が辞書ファイル１１１に記載されている端末ＩＤを読み出し、それと自端末の端末ＩＤとが一致しているかどうかを調査する。両ＩＤが一致していれば、キーワード抽出部１０１に辞書ファイル１１１を使った処理を行うよう指示を出す。この指示によりキーワード抽出部１０１が辞書ファイル１１１に記載されているキーワードを文書ファイル１１０から抽出し、キーワード変換部１０２に与える。
【００４３】
キーワード変換部１０２は、キーワードが受けると、辞書ファイル１１１を参照し、キーワードを文字データ、音楽データ又はバイブレータデータに変換する。変換されたデータのうち文字データについては音声合成部１０３にて音声データに変換される。そして、これらのマルチメディアデータの出力順が決定されて、その順で出力部１０５に入力されると、出力部１０５の表示部１０９では文字データ（画像を含む）が表示され、音声出力部１０８では音声が出力され、音楽再生部１０７では音楽が再生され、またバイブレータ出力部１０６では振動が発生する。
【００４４】
一方、もし辞書ファイル１１１に記載されている端末ＩＤと自端末の端末ＩＤとが一致していなければ、通常の文書の表示のみが行われ、辞書ファイル１１１に基づいた処理は行われない。
【００４５】
このように、本実施の形態に係る文書出力制御装置によれば、読者によって出力方法を変えられるので、通常の文書の表示では堅苦しい文章だったとしても、辞書にコミカルな音や話し言葉に変換できるように記述しておけば、同じ文書でも読者によってまったく違った印象を与えることが可能となる。
【００４６】
なお、本実施の形態では、認証部４０１が端末ＩＤで認証を行ったが、別のＩＤで認証するようにしても良い。
【００４７】
また、上記各実施の形態では、辞書ファイル１１１と文書ファイル１１０を別ファイルとしたが、同じファイルとしても構わない。
【００４８】
また、上記各実施の形態では、辞書ファイル１１１が携帯電話装置に予め保存されたものとしたが、読者が予め作成した辞書でもよいし、あるいは文書作成者が作成した辞書を文書ファイルに添付してもよい。
【００４９】
【発明の効果】
以上説明したように、本発明によれば、文書中の文字列を多様なマルチメディアデータに変換するので、文書読者は表現力豊かな文書を楽しむことができるという効果が得られる。
【図面の簡単な説明】
【図１】本発明の実施の形態１に係る文書出力制御装置の構成を示すブロック図
【図２】本発明の実施の形態１に係る文書出力制御装置の出力イメージ図
【図３】本発明の実施の形態２に係る文書出力制御装置の構成を示すブロック図
【図４】本発明の実施の形態３に係る文書出力制御装置の構成を示すブロック図
【符号の説明】
１０１　キーワード抽出部
１０２　キーワード変換部
１０３　音声合成部
１０４　出力制御部
１０５　出力部
１０６　バイブレータ出力部
１０７　音楽再生部
１０８　音声出力部
１０９　表示部
１１０　文書ファイル
１１１　辞書ファイル
３０１　ブックマークリスト
４０１　認証部
【図１】
2004144840.tif 000003
【図２】
2004144840.tif 000004
【図３】
2004144840.tif 000005
【図４】
2004144840.tif 000006